(57)【要約】【課題】組掛け布団を構成する２枚の布団が、就寝中の寝返りなどの行為によって外れたり、また、複数の掛止手段によって前記２枚の布団を取り付けるようなわずらわしさを有しない組掛け布団を提供すること。【解決手段】組掛け布団を、第一の掛け布団と、第一の掛け布団とほぼ同形状で、第一の掛け布団よりも厚みが小さい第二の掛け布団とから構成し、前記第一の掛け布団に、前記収納部内に前記第二の掛け布団を前記第一の掛け布団と重ね合わされた状態で収納可能とするような収納部を設ける。【選択図】　　図１
0003097120.tif 000002
【実用新案登録請求の範囲】
【請求項１】
第一の掛け布団と、該第一の掛け布団とほぼ同形状で、それよりも厚みが小さい第二の掛け布団とを備えた組掛け布団であって、
前記第一の掛け布団が、前記第二の掛け布団を収納可能な収納部を有しており、前記第二の掛け布団は、前記収納部内に前記第一の掛け布団と重ね合わされた状態で収納可能であることを特徴とする組掛け布団。
【請求項２】
前記第一の掛け布団は、厚み方向に重ねられた上部布団および下部布団を備え、前記上部布団および下部布団の周縁の少なくとも一部を互いに固着して一体的に構成することで、前記上部布団と下部布団との間に前記収納部を形成していることを特徴とする請求項１に記載の組掛け布団。
【請求項３】
前記第一の掛け布団および第二の掛け布団はほぼ矩形状に形成されており、前記第一の掛け布団の隅部に、前記収納部へ通ずる挿入口を設けたことを特徴とする請求項２に記載の組掛け布団。
【請求項４】
前記上部布団および下部布団がキルティング加工により分割された複数の室の集合によって形成されており、前記上部布団の各室を形成する縫い合わせ線と、前記下部布団の各室を形成する縫い合わせ線とが、前記第一の掛け布団の厚さ方向において互いに重ならないことを特徴とする請求項２または３に記載の組掛け布団。
【請求項５】
さらに、前記第二の掛け布団がキルティング加工により分割された複数の室の集合によって形成されており、前記上部布団の各室を形成する縫い合わせ線と、前記下部布団の各室を形成する縫い合わせ線と、第二の掛け布団の各室を形成する縫い合わせ線とが、各掛け布団の厚さ方向において互いに重ならないことを特徴とする請求項４に記載の組掛け布団。
【請求項６】
前記第一の掛け布団は、布団本体と該布団本体の表面または裏面を覆うカバー部材とを備え、前記布団本体およびカバー部材の周縁の少なくとも一部を互いに固着して一体的に構成することで、前記カバー部材と布団本体との間に前記収納部を形成することを特徴とする請求項１に記載の組掛け布団。
【請求項７】
前記布団本体及び前記カバー部材はほぼ矩形状に形成されており、前記カバー部材の隅部に、前記収納部へ手を挿入可能な挿入口を設けたことを特徴とする請求項６に記載の組掛け布団。
【請求項８】
前記第一の掛け布団の布団本体および第二の掛け布団がキルティング加工により分割された複数の室の集合によって形成されており、前記布団本体の各室を形成する縫い合わせ線と、前記第二の掛け布団の各室を形成する縫い合わせ線とが、各掛け布団の厚さ方向において互いに重ならないことを特徴とする請求項６または７に記載の組掛け布団。
【考案の詳細な説明】
【０００１】
【考案の属する技術分野】
本考案は、２枚の掛け布団を重ね合わせて使用する組掛け布団に関するものである。
【０００２】
【従来の技術】
従来より、薄手の掛け布団と厚手の掛け布団の２枚を組み合わせて使用する組掛け布団が知られている。このような布団は、夏は薄手の掛け布団１枚のみ、春・秋は厚手の掛け布団のみ、冬は薄手・厚手の掛け布団の２枚を合わせて使用するといった用い方をすることが可能であり、気候や個人の嗜好に合わせた使用方法が選択できるという長所がある。
【０００３】
このような２枚の布団を重ねる構造として、従来より知られている構造には、例えば特開２００３−７０６０８号公報に記載されているものがある。ここでは、厚手の掛け布団および薄手の掛け布団の周囲近傍に、スナップやホック等の係止手段を多数設け、これらを互いに係合させることで厚手の掛け布団および薄手の掛け布団を互いに係止している。このような構造によって、重ね合わせた布団が就寝中にずれてしまうのを防止している。
【０００４】
【考案が解決しようとする課題】
しかしながら、このような掛け布団の構造ではスナップやホック等で係止された２枚の布団が確実かつ強固に係止されているとはいえず、就寝中の寝返りなどの行為によって外れることがある。また、２枚の布団を組み合わせて使用する際には、前記多数の係止手段を一つ一つ取り付けることがわずらわしく、さらに、２枚の布団のうち一方の布団を使用しない場合には、前記係止手段をさらに一つ一つ取り外すという面倒な行為が必要となる。このため、例えば布団を乾燥させるためにベランダ等に干すか、あるいはそれぞれ別々に布団乾燥機等で乾燥させる際には、前記係止手段の取り付けと取り外しを頻繁に行わなければならないという多大な労力を要することとなる。
【０００５】
【課題を解決するための手段】
本考案は、このような問題点を鑑みてなされたものであり、請求項１においては、第一の掛け布団と、この第一の掛け布団とほぼ同形状で、それよりも厚みが小さい第二の掛け布団とを備えた組掛け布団であって、前記第一の掛け布団が、前記第二の掛け布団を収納可能な収納部を有しており、前記第二の掛け布団は、前記収納部内に前記第一の掛け布団と重ね合わされた状態で収納可能であることを特徴とする組掛け布団を提案している。
【０００６】
このように、第一の掛け布団に第二の掛け布団を収納するための収納部が形成されているため、前記収納部に第二の掛け布団を収納するだけで、２つの布団を一体的に重ね合わせることができる。また、２つの布団を一体的に重ね合わせているため、第二の掛け布団を収納部から抜き取るように取り出すだけで重ね合わされた２つの布団を簡単に分離することが可能となる。さらに、重ね合わせるように収納された第二の掛け布団は、前記収納部内に完全に広がった状態で収納可能であるため、第二の掛け布団を係止する手段を設ける場合でも数カ所程度の係止箇所を設けるだけで、２枚の布団をずれがなく一体的に重ね合わせることができる。
【０００７】
また、前記第一の掛け布団を、例えば厚み方向に重ねられた上部布団および下部布団とを備え、前記上部布団および下部布団の周縁の少なくとも一部を互いに固着して一体的に構成することにより、前記上部布団と下部布団との間に前述の収納部を形成してもよい（請求項２）。すなわち、第一の掛け布団が上部布団と下部布団とに分離された層から構成されており、この２層に挟まれた部分に収納部を形成し、該収納部に第二の掛け布団を収納することで２枚の掛け布団を重ね合わせるように固定している。これによって、例えばこれらの布団を布団乾燥機等で乾燥させたい場合、前記収納部に布団乾燥機のノズル先端を挿入すると、２枚の布団を重ね合わせた状態のままで乾燥させることができる。
【０００８】
また、その際に、前記第一の掛け布団および第二の布団をほぼ矩形状に形成し、前記第一の掛け布団の隅部に、前記収納部へ通ずる挿入口を設けるような構成としてもよい（請求項３）。このような構成にすることで、前記収納部に収納された第二の掛け布団の位置がずれている場合、前記挿入口から手を入れて第二の掛け布団の隅部を掴み、２つの掛け布団が正確に重ね合わされるように位置修正することが可能となる。
【０００９】
また、例えば第一の掛け布団を形成する前記上部布団および下部布団がキルティング加工により分割された複数の室の集合によって形成されている場合、上部布団の各室を形成する縫い合わせ線と、下部布団の各室を形成する縫い合わせ線とが、それぞれ前記第一の掛け布団の厚さ方向において重ならないように構成することが望ましい（請求項４）。このような構造にすることで、各々の室内に含まれる羽毛などの内容物が特定の場所に片寄らないことに加えて、第一の掛け布団の全面について、上部布団、下部布団の各室が形成する凸部同士が重ならず、ほぼ均一な厚さの内容物（羽毛等）を備えるようになる。
【００１０】
さらに、前記第二の掛け布団が同様の加工により分割された複数の室の集合によって形成されている場合は、前記第一の掛け布団に設けられた収納部内に第二の掛け布団が収納された際に、前記上部布団を形成する各室と、前記下部布団の各室を形成する縫い合わせ線と、第二の掛け布団の各室を形成する縫い合わせ線とが、各掛け布団の厚さ方向においてそれぞれ重ならないように構成することがより好ましい（請求項５）。
【００１１】
また、本考案に係る組掛け布団は、前記第一の掛け布団が布団本体と該布団本体の表面または裏面を覆うカバー部材とを備えており、前記布団本体およびカバー部材の周縁の少なくとも一部を互いに固着して一体的に構成することで、前記カバー部材と布団本体との間に前記収納部を形成するようにしてもよい（請求項６）。すなわち、前記布団本体の表面または裏面に布等の素材からなるカバー部材をとりつけることで、第二の掛け布団を収納可能な袋状の収納部を簡単に作製することが可能となる。これによって、従来の掛け布団に新たに前記カバー部材をとりつけるだけで、収納部を有する第一の掛け布団を作成可能となるため、製造工程が軽減されるというメリットがある。
【００１２】
また、前記第一の掛け布団及び前記カバー部材をほぼ矩形状に形成し、前記カバー部材の隅部に、前記収納部へ手を挿入可能な挿入口を設けてもよく（請求項７）、さらに、前記第一の掛け布団および第二の掛け布団をキルティング加工により分割された複数の室の集合によって形成し、前記第一の掛け布団を形成する各室と、前記第二の掛け布団を形成する各室のそれぞれの縫い合わせ線とが、前記第一の掛け布団の厚さ方向において重ならないような構造としてもよい（請求項８）。
【００１３】
【考案の実施の形態】
本考案に係る組掛け布団は、第一の掛け布団とそれに収納される第二の掛け布団から構成されるが、このような組掛け布団の好ましい実施形態について以下に図面を参照して説明する。図１（Ａ）は、第一の掛け布団１の第一の実施形態を示す斜視図である。
【００１４】
同図に示すように、第一の掛け布団１は羽毛を充填した矩形状の上部布団２と、同じく羽毛を充填した矩形状の下部布団３とを、第一の掛け布団の厚み方向に重ね合わせたものである。上部布団２、下部布団３は、それぞれ側縁部Ｌ１〜Ｌ４（Ｌ１、Ｌ４：長側縁部、Ｌ２、Ｌ３：短側縁部）のうちの一部を貼り合わせなどの手段により固着することで一体的に構成され、第一の掛け布団１を形成している。本実施形態では、上部布団２および下部布団３は、短側縁部Ｌ２、Ｌ３のそれぞれから延びる貼り合わせ布４を介して貼り合わされている。なお、上部布団２および下部布団３の貼り合わせ部分は、破けたり剥がれたりしないように、ある程度の強度を備えていることが好ましい。
【００１５】
図１（Ｂ）は、上部布団２および下部布団３をＩ１−Ｉ１線で分断した様子を表す断面図である。同図に示すように、上部布団２および下部布団３はそれぞれ、布団の使用中に充填した羽毛が移動して特定の位置に片寄ることがないように、キルティング加工により作製され、羽毛を充填した各室５ａ、５ｂ、５ｃおよび６ａ、６ｂ、６ｃ、６ｄの集合によって構成されている。また、前記上部布団２および下部布団３の間に形成される空間は、後述する第二の掛け布団を収納するための収納部Ｓとなる。
【００１６】
また、上部布団２および下部布団３の各室５（５ａ〜５ｃ）、６（６ａ〜６ｄ）は、上部布団２および下部布団３を重ね合わせたときに、各室を形成する縫い合わせ線が、第一の掛け布団の厚さ方向について重ならないようにすることで、各室の形状（凸部、凹部など）によって生じる上部布団２および下部布団３の内部の凹凸を互いに組み合わせるようにしている。このようにすることで、第一の布団１の全面について厚さがほぼ均一、すなわち羽毛の層の薄い部分がなくなり、布団を快適に使用することができる。
【００１７】
また、上部布団２および下部布団３の長側縁部Ｌ１およびＬ４の少なくとも一方には、チャックやホックなどの開閉手段７によって開口部Ｐが形成されており、部分的に開閉可能な構造となっている。図２に示すように、第二の掛け布団１０は、開閉手段７により開いた開口部Ｐより、上部布団２および下部布団３の内側の収納部Ｓに収納される。第二の掛け布団１０は、第一の掛け布団１と比して厚さが小さく、ほぼ同一形状で、ほぼ一回り小さい大きさを有するものであることが好ましく、このような厚さ、形状及び大きさを備えていることによって、第一の掛け布団１内の収納部Ｓに第二の掛け布団１０がスムーズに収納可能となる。
【００１８】
図３（Ａ）は、第二の掛け布団１０が第一の掛け布団１内の収納部Ｓに収納された状態を表す斜視図である。図３（Ａ）におけるＩ２−Ｉ２線についての断面図を図３（Ｂ）に示す。
【００１９】
図３（Ｂ）において、上部布団２および下部布団３の間の収納部Ｓに収納された第二の掛け布団１０の各室１１（１１ａ〜１１ｃ）においても、前述のように布団の全面について厚さがほぼ均一となるように、各室の凹凸を互いに組み合わせた構造とするのが好ましい。また、第一の掛け布団の内側と、収納された第二の掛け布団１０の外側とに、それぞれ係止可能とするための係止手段を設けることで、第二の掛け布団が第一の掛布団に収納された際に、上部布団２および下部布団３の間で動いたりずれたりすることがなくすことができる。このような係止手段として、例えば紐やホック等の既知の係止手段を採用してもよい。
【００２０】
なお、第二の掛け布団１０を収納する際に、左右（長側縁部Ｌ１およびＬ４）の開口部Ｐから手を入れて、第二の掛け布団１０を完全に広げた状態で収納することが可能であるが、第二の掛け布団１０が第一の掛け布団の収納部内で十分に広がりにくい場合も考えられる。このような場合、例えば図４に示すように、第一の掛け布団１の四隅付近に、手を挿入することが可能な程度の大きさの挿入口Ｒ（Ｒ１〜Ｒ４）を別途設けてもよい。この挿入口Ｒの内部に手を入れて第二の掛け布団の端部を引っ張り、収納部Ｓ内で第一の掛け布団１とほぼ重なるように、第二の掛け布団の収納する位置をより適切に修正可能としてもよい。
【００２１】
また、挿入口Ｒは別途設けられたホックやチャック等の開閉手段（図示していない）を備えていてもよく、挿入口Ｒを用いない場合は閉じることができるようにしていることが好ましい。このような開閉手段を備えることで、例えば前記収納部Ｓに布団乾燥機のノズル先端を挿入し、乾燥を行う際に、温風が挿入口Ｒから漏れてしまうことを防ぐことが可能となる。
【００２２】
上述のような実施形態によって、第一の掛け布団と第二の掛け布団とを簡単に一体的に重ね合わせることができ、さらに、ホック、ボタン等の係止手段を用いない場合、第二の掛け布団を収納部から抜き取るように取り出すだけで重ね合わされた２つの布団を簡単に分離することが可能となる。さらに、収納された第二の掛け布団は、前記収納部内に完全に広がった状態で収納可能であるため、２枚の布団をずれがなく一体的に重ね合わせることができる。ゆえに、このような組掛け布団を気候や個人の嗜好に合わせて使用する場合に、係止部の取り外し等の面倒な作業を行うことなく使用することが可能となる。
【００２３】
また、このような組掛け布団を乾燥させたい場合においては、第一の掛け布団と第二の掛け布団を容易に分離することが可能であるため、２枚の布団を別々に天日干しすることが容易に行えるとともに、市販の布団乾燥機を用いて布団の乾燥を行う場合においても、前記収納部に布団乾燥機のノズル先端を挿入して乾燥させることで、２枚の布団を重ね合わせた状態のままで布団の内部より乾燥させることができる。
【００２４】
上述の実施形態においては、収納部Ｓに通ずる開口部Ｐを、第一の掛け布団の側端部に設けているが、図５に示すように、上部布団２の上面に、第一の掛け布団１の長手方向のほぼ中心付近を２分するような開閉手段７’によって、収納部Ｓに臨む開口部Ｑが形成されていてもよい。このような構成とした場合、第二の掛け布団１０を上部布団２および下部布団３の間に容易に収納可能とするために、第二の掛け布団１０の横幅は、開口部Ｑより若干幅狭く設けられているのが好ましい。このようにすると、第二の掛け布団を収納する開口部Ｑの位置から、挿入口Ｒ（Ｒ１〜Ｒ４）までの距離がほぼ等しくなるため、各挿入口Ｒに対して手を挿入しやすく、第二の掛け布団を収納部Ｓ内に収納したのちに第二の掛け布団の位置を修正し易くなる。
【００２５】
また、本考案に係る組掛け布団の種類として、布団内部に充填される素材は特に羽毛に限定されるものではなく、他の天然繊維や合成繊維等を充填した布団についても同様の効果が得られることは言うまでもない。
【００２６】
次に、本考案に係る組掛け布団の第二の実施形態について図６を用いて説明する。図６（Ａ）に示すように、第一の掛け布団１’は、第一の実施形態と異なり、一層の布団本体２’のみを備えた一般的な羽毛布団等の掛け布団である。さらに、前記布団本体２’の上面に布等の素材からなるカバー部材３０を有しており、カバー部材３０は、第一の掛け布団１の長手方向のほぼ中心付近において２分されたカバー３１，３２よりなる。カバー３１、３２を第一の掛け布団１’の側縁部Ｌ１〜Ｌ４付近において貼り合わせなどの手段によって固着し、袋状の収納部Ｓ’を形成する。図６（Ｂ）に、図６（Ａ）に示す第一の掛け布団１のＪ−Ｊ線に沿った断面図を示す。収納空間Ｓ’は、開口部Ｑ’から第二の掛け布団２を収納できる程度の大きさ、形状に形成されていればよい。また、カバー部材を構成する素材は麻、綿、合成繊維等の材質から適宜選択するものとする。
【００２７】
また、本実施形態は、カバー部材をカバー３１，３２などのように複数に形成するものに限定されず、一枚のカバーによって構成され、第一の掛け布団１’と側縁部Ｌ１〜Ｌ４付近で固着され、側縁部の少なくとも一箇所に開口部を有するようにしてもよい。
【００２８】
なお、本実施形態においても、第一の掛け布団１’と第二の掛け布団２とがそれぞれキルティング加工により作製され、羽毛を充填した複数の室によって構成されている場合、第二の掛け布団２が収納部Ｓ’内に収容されたときに、第一の掛け布団１’の各室を形成する縫い合わせ線と、第二の掛け布団２の各室を形成する縫い合わせ線が、各布団の厚さ方向について重ならないようにすることが好ましい。さらに、第一の実施形態と同様に、本実施形態においても、第二の掛け布団の位置を修正するための挿入口を、前記カバー部材に設けることが好ましい。
【００２９】
このような実施形態の場合、第一の実施形態のように、第一の掛け布団を上部布団および下部布団の２層に構成する必要がないため、従来の掛け布団に新たに前記カバー部材を貼り合わせるだけで、収納部を有する第一の掛け布団を容易に作成することが可能となる。よって、既製の羽毛布団などの掛け布団を、本考案に係る組掛け布団を構成する第一の掛け布団に簡単に加工することができる。
【００３０】
【考案の効果】
以上の説明から明らかなように、本考案によれば、第一の掛け布団に設けられた収納部に第二の掛け布団が収納され、これらの掛け布団が重ね合わされるように一体的に結合するため、ボタン等の係止手段を用いなくても２つの布団を重ね合わせた状態で固定することができる。したがって、組掛け布団を季節や個人の好みに合わせて容易に使用し、また、該組掛け布団を簡単に製作することが可能になるという効果がある。
【図面の簡単な説明】
【図１】（Ａ）は、本考案に係る組掛け布団を構成する第一の掛け布団の斜視図であり、（Ｂ）はＩ１−Ｉ１線に沿った断面図である。
【図２】本考案に係る組掛け布団において、第一の掛け布団に第二の掛け布団を収容する様子を示す斜視図である。
【図３】（Ａ）は、第一の掛け布団に第二の掛け布団が収容された様子を示す斜視図であり、（Ｂ）はＩ２−Ｉ２線に沿った断面図である。
【図４】四隅に挿入口Ｒを設けた第一の掛け布団に第二の掛け布団が収容された様子を示す斜視図である。
【図５】本考案に係る組掛け布団の第１の実施形態の変形例を表す斜視図である。
【図６】（Ａ）は、本考案に係る組掛け布団の第２の実施形態を表す斜視図であり、（Ｂ）はＪ−Ｊ線に沿った断面図である。
【符号の説明】
１、１’　第一の掛け布団
２　上部布団
３　下部布団
４　貼り合わせ布
５，６　室
７　開閉手段
１０　第二の掛け布団
１１　室
Ｐ，Ｑ　開口部
Ｒ　挿入口
Ｓ、Ｓ’　収納部
【図１】
0003097120.tif 000003
【図２】
0003097120.tif 000004
【図３】
0003097120.tif 000005
【図４】
0003097120.tif 000006
【図５】
0003097120.tif 000007
【図６】
0003097120.tif 000008